(57)【要約】【課題】キャビンからの前方の視認性を確保すると共に、キャビン内に設けるモニタを確認しながらの刈取作業を能率よく行えるものとする。【解決手段】刈取装置（４）の後側の走行車台（２）の上部右側には、運転操作室（７）を形成するキャビン（７ａ）を設け、該キャビン（７ａ）内の後方部には、運転作業者が着座して運転操作する操縦席（９）を設け、該キャビン（７ａ）の前面壁（１０）の上端部を鉄板材よりなる上側壁板（１０ａ）で形成し、該前面壁（１０）の上下中間部から下部を硝子材よりなる下側壁板（１０ｂ）で形成し、前記上側壁板（１０ａ）に設けるモニタ装置（１１）を、該上側壁板（１０ａ）に設けた複数のエアコン吹出口（１２ａ，１２ａ）の間に配置する。【選択図】図１
2010075124.tif 000002
【特許請求の範囲】
【請求項１】
走行車台（２）の下側に走行装置（３）を設け、該走行車台（２）の前側に立毛穀稈を刈取り後方へ移送する刈取装置（４）を設け、該刈取装置（４）の後側の走行車台（２）の上部右側には、運転操作室（７）を形成するキャビン（７ａ）を設け、該キャビン（７ａ）内の後方部には、運転作業者が着座して運転操作する操縦席（９）を設け、該キャビン（７ａ）の前面壁（１０）の上端部を鉄板材よりなる上側壁板（１０ａ）で形成し、該前面壁（１０）の上下中間部から下部を硝子材よりなる下側壁板（１０ｂ）で形成し、前記上側壁板（１０ａ）に設けるモニタ装置（１１）を、該上側壁板（１０ａ）に設けた複数のエアコン吹出口（１２ａ，１２ａ）の間に配置したことを特徴とするコンバイン。
【発明の詳細な説明】
【技術分野】
【０００１】
この発明は、コンバインに関するものである。
【背景技術】
【０００２】
コンバインの走行車台の後方部を撮影する撮像手段を設け、この撮像情報を運転キャビン内に配置した表示装置のモニタ画面で表示するように構成した該コンバインの後方監視装置である。
【０００３】
前記表示装置を該運転キャビン内の前方上部箇所で、かつ運転座席中央の直前方位置よりも、サイドミラーが設けられている、機体横一側部寄り箇所に配置してあるコンバインの該後方監視装置である。
【特許文献１】特開２００８−５７１１号公報
【発明の開示】
【発明が解決しようとする課題】
【０００４】
立毛穀稈を刈取り脱穀するコンバインの走行車台の上側面には、運転キャビンを載置した構成であり、又、該走行車台の後方部を撮影する撮像手段を設け、この撮像手段で撮像した撮像情報は、該運転キャビン内に配置して設け、表示装置のモニタ画面に表示するように構成した、該コンバインの後方監視装置である。
【０００５】
前記撮像手段で撮像した撮像情報を表示する該表示装置のモニタ画面は、公開特許公報２００８−５７１１号公報で示すように、該運転キャビン内の前方上部箇所で、かつ運転座席の直前方位置よりも、サイドミラーが設けられている機体横一側部寄り箇所に配設していることにより、刈取りしようとする穀稈の植付け位置を正確に視認できないことがあり、このために、正確な刈取り作業ができないことがあり、刈り残し穀稈が発生することがあったが、これを解決しようとするものである。
【課題を解決するための手段】
【０００６】
上述のような課題を解決するために、この発明は、次のような技術手段を講じる。
即ち、走行車台（２）の下側に走行装置（３）を設け、該走行車台（２）の前側に立毛穀稈を刈取り後方へ移送する刈取装置（４）を設け、該刈取装置（４）の後側の走行車台（２）の上部右側には、運転操作室（７）を形成するキャビン（７ａ）を設け、該キャビン（７ａ）内の後方部には、運転作業者が着座して運転操作する操縦席（９）を設け、該キャビン（７ａ）の前面壁（１０）の上端部を鉄板材よりなる上側壁板（１０ａ）で形成し、該前面壁（１０）の上下中間部から下部を硝子材よりなる下側壁板（１０ｂ）で形成し、前記上側壁板（１０ａ）に設けるモニタ装置（１１）を、該上側壁板（１０ａ）に設けた複数のエアコン吹出口（１２ａ，１２ａ）の間に配置したことを特徴とするコンバインとしたものである。
【発明の効果】
【０００７】
この発明によると、コンバインによる刈取り作業時に、キャビン（７ａ）の上側壁板（１０ａ）に設けた複数のエアコン吹出口（１２ａ，１２ａ）の間に配置されるモニタ装置（１１）に各種の表示項目が表示されることにより、前方の視認性を確保しながらモニタ装置（１１）を確認でき、このモニタ（１１）を確認しながらの刈取作業を能率よく行うことができる。
【発明を実施するための最良の形態】
【０００８】
以下、本発明の一実施例を図面に基づいて説明する。
コンバイン１の走行車台２の下側に走行装置３を設け、該走行車台２の前方部に穀稈を刈取る刈取装置４を設けると共に、該走行車台２の上側の一方側に該刈取装置４から刈取り穀稈を引継ぎ移送しながら脱穀する脱穀装置５と、該脱穀装置５の右横側には、該脱穀装置５から脱穀済み穀粒を受けて、一時貯留する穀粒貯留タンク６とを載置した構成である。
【０００９】
前記刈取装置４の後方右側部には、運転操作室７を形成する略箱形状で乗り下り自在なキャビン７ａを設け、該キャビン７ａ内の後方部には、運転作業者が着座して運転操作する操縦席９を設けると共に、該キャビン７ａを形成する前側の前面壁１０の上部は、鉄板材等よりなる上側壁板１０ａと、前側の下部は、硝子材等よりなる下側壁板１０ｂとにより形成した構成である。
【００１０】
上記の構成において、前記上側壁板１０ａに設けるモニタ装置１１は、該上側壁板１０ａに設けたエアコン吹出口１２ａ、１２ａ間に設けた構成である。
前記コンバイン１の走行車台２の下側には、図２で示すように、土壌面を走行する左右一対の走行クローラ３ａを張設した走行装置３を配設し、該走行車台２の上側面に脱穀装置５を載置している。該走行車台２の前方部の刈取装置４で立毛穀稈を刈取りして、後方上部に移送し、該脱穀装置５のフィードチェン５ａと、挟持杆５ｂとで引継いで挟持移送しながら脱穀する。脱穀済みで選別済み穀粒は、該脱穀装置５の右横側へ配設した穀粒貯留タンク６内へ供給され、一時貯留される。
【００１１】
前記刈取装置４後部の該走行車台２上側の右側部には、図１で示すように、運転作業者が乗り降り自在で開閉自在な扉７ｂを設けて、キャビン７を形成する略箱形状のキャビン７ａを載置した構成である。
【００１２】
前記キャビン７ａ内の後方部には、運転作業者が着座して運転操作する操縦席９を設けると共に、該キャビン７ａを形成する前側の前面壁１０の上部は、鉄板材等よりなる上側壁板１０ａと、前側の下部は、硝子材等よりなる下側壁板１０ｂとにより形成した構成である。
【００１３】
前記キャビン７ａの該上側壁板１０ａに設けるモニタ装置１１は、図１で示すように、該上側壁板１０ａに設けたエアコン吹出口１２ａ、１２ａ間に設けた構成である。
前記コンバイン１で、立毛穀稈を刈取り作業の時は、キャビン７を形成するキャビン７ａの前面壁１０の上側壁板１０ａで、運転作業者が着座する操縦席９の前側部に設けたエアコン吹出口１２ａ、１２ａ間に設けたモニタ装置１１に、各種の表示項目が表示されることにより、前方の視界性の確保が容易である。又、運転作業者の直前部に、該モニタ装置１１が設けられていることにより、直前の視認性が良好であり、運転操作性が良い。
【００１４】
前記モニタ装置１１は、図３で示すように、運転作業者の前左角部で、左前のスピーカ１３の下方部で、運転作業者の方向向きに配置すると共に、該モニタ装置１１の取付けは、左前のスピーカ１３と共締めに取付けた構成である。
【００１５】
上記構成により、前記スピーカ１３の取付け部に共締めにする構成としたことにより、オプション設定に対応が可能である。又、ななめ下方（運転作業者向き）のために、直射日光を防げ、視認性の向上を図ることができる。
【００１６】
前記運転操作室７を形成するキャビン７ａ内に、モニタ装置１１を図４で示すように、左前部のスピーカ１３部に取付けした構成において、左天井部のエアコン装置１２の配管部１１ａのガスもれ点検用穴部１１ｂより、該モニタ装置１１用のハーネス１１ｃを取り出しする構成である。
【００１７】
これにより、前記点検用穴部１１ｂと、該ハーネス１１ｃを取り出す穴とが同一のために、外観向上を図ることができる。又、オプションを設定するときに、該ハーネス１１ｃの配策が可能になる。
【００１８】
前記運転操作室７を形成するキャビン７ａが回動する構成において、回動を収納させた状態において、図５、及び図６で示すように、該キャビン７ａに設けたアーム８ａの上下ラインと同一部の該キャビン７ａにストッパ８ｂを設けた構成である。
【００１９】
これにより、前記キャビン７ａを固定する時に、位置決めの確実化を図ることができる。
前記運転操作室７を形成するキャビン７ａが回動すべく形成した構成において、該キャビン７ａに接続して設けた各種のホース１５類は、図７で示すように、該キャビン７ａの後側面の左側部より出し、該キャビン７ａの後側部に設けた操作フレーム８ｃ上側面の左側部に設けたホース用孔８ｄを通してエンジン１４のエンジンルーム１４ａ内を経て、各部へ配策して設けた構成である。
【００２０】
これにより、前記キャビン７ａを回動方式に容易することが可能になる。又、各種のホース１５類を一本化することにより、外観の向上を図ることができる。
前記運転操作室７を形成するキャビン７ａを設け、該キャビン７ａの後方下部には、図８で示すように、外気導入口８ｅを設けた構成である。
【００２１】
これにより、メンテナンスが容易である。又、洗車時圧力水飛散の軽減が可能である。
前記運転操作室７を形成するキャビン７ａの扉１６は、図９で示すように、上部は硝子板を前後スライド式サッシ１６ａ、１６ａとし、下部は硝子板１枚で形成した扉板１６ｂとし、開閉用のハンドル１６ｃは、図１０で示すように、設けた構成である。
【００２２】
これにより、サッシフレームを強度部材としたことにより、該扉１６の重量を軽減することができる。又、視認性、及び作業性を大巾に向上させることができる。
前記運転操作室７を形成するキャビン７ａの右前柱８ｆの上部から下部の間には、図１１で示すように、把持具１７を運転作業者の視野に、右前柱８ｆと該把持具１７とが重合状態にならないように設けると共に、上下方向の略中間位置には、中間取付具１７ａを設けた構成である。
【００２３】
これにより、視野の確保が容易であると共に、前記把持具１７の強度確保が容易にできる。
前記走行車台２の前方部には、図２で示すように、立毛穀稈を分離するナローガイド１８、及び各分草体１９と、立毛穀稈を引起す引起装置２０と、引起された穀稈を掻込みする穀稈掻込移送装置２１の各掻込装置２２と、掻込された穀稈を刈取る刈刃装置２３と、刈取りされた穀稈を挟持移送して、該脱穀装置５の該フィードチェン５ａと、該挟持杆５ｂとへ受渡しする穀稈掻込移送装置２１の根元・穂先移送装置２４・２５等からなる刈取装置４を設けている。該刈取装置４は、油圧駆動による伸縮シリンダ２６により、土壌面に対して昇降する。
【００２４】
前記刈取装置４の前方下部から後方上部へ傾斜する支持杆２７の上端部に設ける支持パイプ杆２８を、走行車台２の上側面に設けた支持装置２９で回動自在に支持させている。該伸縮シリンダ２６を作動させると支持杆２７と共に、該刈取装置４が上下回動する。
【００２５】
前記刈取装置４の穀稈掻込移送装置２１によって形成される穀稈移送経路中には、刈取られて移送する穀稈に接触作用することにより、脱穀装置５への穀稈の供給の有無を検出する穀稈センサ３０を設けている。
【００２６】
前記穀粒貯留タンク６側の前部のキャビン７を形成するキャビン７ａ内には、図２で示すように、コンバイン１を始動、停止、及び各部を調節等の操作を行う操作装置３１と、操縦席３２とを設け、この操縦席３２の下側にエンジン１４を載置している。
【００２７】
前記走行車台２の前端部に装架した走行用ミッションケース３３内の伝動機構３３ａの伝動経路中には、その出力に基づいて、走行車速を検出するポテンションメータ方式の車速センサ３３ｂを設けている。
【００２８】
前記穀粒貯留タンク６内へ貯留した穀粒を機外へ排出する、この穀粒貯留タンク６の後側には、図２で示すように、縦移送螺旋３４ａを内装した排出支持筒３４を略垂直姿勢で旋回自在に装着して設け、この排出支持筒３４の上端部には、その全長がコンバイン１の前後長に亘る機外へ穀粒を排出する排出螺旋３５ａを伸縮自在に内装した排出オーガ３５を伸縮自在、上下回動自在、及び左右旋回自在に前後方向に配設している。
【図面の簡単な説明】
【００２９】
【図１】キャビンの正面図
【図２】コンバインの左側の全体側面図
【図３】キャビンの正面図
【図４】キャビンの正面図
【図５】キャビンとエンジン部との背面斜視図
【図６】アーム取付部の側面図
【図７】ホース配策部の背面斜視図
【図８】キャビンの外気導入口部の背面図
【図９】キャビンの扉部の構成図
【図１０】キャビンの右側扉部の側面図
【図１１】キャビンの把持具取付部の側面図
【符号の説明】
【００３０】
２    走行車台
３    走行装置
４    刈取装置
７    運転操作室
７ａ  キャビン
９    操縦席
１０    前面壁
１０ａ  上側壁板
１０ｂ  下側壁板
１１    モニタ装置
１２ａ  エアコン吹出口
【図１】
2010075124.tif 000003
【図２】
2010075124.tif 000004
【図３】
2010075124.tif 000005
【図４】
2010075124.tif 000006
【図５】
2010075124.tif 000007
【図６】
2010075124.tif 000008
【図７】
2010075124.tif 000009
【図８】
2010075124.tif 000010
【図９】
2010075124.tif 000011
【図１０】
2010075124.tif 000012
【図１１】
2010075124.tif 000013